(57)【要約】      （修正有）【課題】スライドドアを閉成する際に、全閉直前のスライドドアに対する操作力を軽減することができるスライドドアの支持構造を提供する。【解決手段】車体側面にスライドドア用開口部を形成し、該開口部の上縁部および下縁部に、スライドドア５を摺動可能に支持する前側ガイドレール９を配設し、該前側ガイドレール９の前端部９ａが、車両前方に向かうにつれて車幅方向内側に緩やかに湾曲する湾曲部に形成される一方、前記スライドドア５の前端に前側ガイドレール９に係合する係合部材を設け、該係合部材は、前側に配置され、前側ガイドレール９の内方に支持されて摺動する前側回転ローラ２５と、前側回転ローラ２５の後方側に所定間隔をおいて配置されかつ前側ガイドレール９の車幅方向外側に配置された後側回転ローラ２７と、を備えている。【選択図】図２
2010208418.tif 000002
【特許請求の範囲】
【請求項１】
車体側面にスライドドア用開口部を形成し、該開口部の上縁部および下縁部に、スライドドアを摺動可能に支持するガイドレールを配設し、該ガイドレールの前端部が、車両前方に向かうにつれて車幅方向内側に緩やかに湾曲する湾曲部に形成される一方、前記スライドドアの前端にガイドレールに係合する係合部材を設け、
該係合部材は、
前側に配置され、ガイドレールの内方に支持されて摺動する前側係合部材と、
前側係合部材から後方側に所定間隔をおいてかつガイドレールの車幅方向外側に配置された後側係合部材と、を備え、
前記スライドドアを前側に移動させて閉成する際に、前記後側係合部材がガイドレールに対して車幅方向外側から内側に向けて徐々に近づいて、スライドドアを閉めたときに、前記前側係合部材と後側係合部材とによってガイドレールを車幅方向内側と外側とから挟み込むように保持するように構成したことを特徴とするスライドドアの支持構造。
【請求項２】
前記係合部材を、ローラ部が回転可能に軸支された回転ローラとしたことを特徴とする請求項１に記載のスライドドアの支持構造。
【請求項３】
前記後側係合部材を、回転不能のゴム部材から形成したことを特徴とする請求項１に記載のスライドドアの支持構造。
【発明の詳細な説明】
【技術分野】
【０００１】
本発明は、スライドドアの支持構造に関する。
【背景技術】
【０００２】
従来から、車体側面にスライドドア用開口部を形成し、該開口部の上縁部および下縁部に前後方向に沿ってガイドレールを延設するとともに、該ガイドレールに係合して回転可能なガイドローラをスライドドアに設けた車両が知られている（例えば、特許文献１参照）。
【先行技術文献】
【特許文献】
【０００３】
【特許文献１】特開平９−２７２３４３号公報
【発明の概要】
【発明が解決しようとする課題】
【０００４】
しかしながら、かかる従来のスライドドアの支持構造では、スライドドアに回転可能に支持されたガイドローラをガイドレールの壁面に係合させて、スライドドアの開閉を行う。即ち、ガイドレールを構成する横壁面を、上下一対のガイドローラで上下から挟持して支持すると共に、ガイドレールを構成する縦壁面を別のガイドローラで支持している。また、ガイドレールの前端部は、車両前方に向かうにつれて車幅方向内側に徐々に湾曲する形状に形成されている。
【０００５】
従って、スライドドアを閉成する際に、全閉直前のスライドドアに対する操作力が増大するおそれがあった。
【０００６】
そこで、本発明は、スライドドアを閉成する際に、全閉直前のスライドドアに対する操作力を軽減することができるスライドドアの支持構造を提供するものである。
【課題を解決するための手段】
【０００７】
本発明にかかるスライドドアの支持構造にあっては、車体側面に形成したスライドドア用開口部と、該スライドドア用開口部の上縁部および下縁部に設けられ、スライドドアを摺動可能に支持するガイドレールと、前記スライドドアの上端部および下端部の少なくともいずれかの前端に設けられ、前記ガイドレールに係合可能な係合部材と、を備え、
前記ガイドレールの前端部が、車両前方に向かうにつれて車幅方向内側に緩やかに湾曲する湾曲部に形成される一方、前記係合部材は、ガイドレールの内方に支持されて摺動する前側係合部材と、前側係合部材から後方側に所定間隔をおいてかつガイドレールの車幅方向外側に配置された後側係合部材とから構成されていることを主要な特徴とする。
【発明の効果】
【０００８】
本発明にかかるスライドドアの支持構造によれば、前記スライドドアを前側に移動させて閉成する際に、前記後側係合部材がガイドレールに対して車幅方向外側から内側に向けて徐々に近づいて、スライドドアを閉めたときに、前記前側係合部材と後側係合部材とによってガイドレールの外側面を車幅方向内側と外側とから挟み込むように保持するため、スライドドアを閉成する際の操作力を軽減することができる。
【図面の簡単な説明】
【０００９】
【図１】本発明の実施形態によるスライドドアの支持構造を設けた車両側部を示す側面図である。
【図２】図１のスライドドアおよびガイドレールの前端部を示す斜視図である。
【図３】図２の平面図である。
【図４】スライドドアを全開した状態におけるスライドドアの前端部およびガイドレールを示す斜視図である。
【図５】本発明の実施形態によるスライドドアを前方移動させている状態のスライドドアとガイドレールを示す平面図である。
【図６】本発明の実施形態によるスライドドアを更に前方移動させている状態のスライドドアとガイドレールを示す平面図である。
【図７】本発明の実施形態によるスライドドアを全閉した状態のスライドドアとガイドレールを示す平面図である。
【発明を実施するための形態】
【００１０】
以下、本発明の実施形態を図面と共に詳述する。
【００１１】
図１は、本発明の実施形態によるスライドドアの支持構造を設けた車両側部を示す側面図である。
【００１２】
この車両１では、前側ドア３が前端のヒンジ（図示せず）を回動中心として開閉可能に構成され、後側のドアが前後にスライド可能なスライドドア５に設定されている。即ち、車体側面にはスライドドア用開口部７が開口されており、本実施形態では、該開口部７の上縁部７ａおよび下縁部７ｂには、後述する前側ガイドレールおよび後側ガイドレール３３が前後方向に沿って延設されている。
【００１３】
図２は図１のスライドドアおよび前側ガイドレールの上縁部の前端部を示す斜視図、および、図３は図２を上方から見た平面図である。
【００１４】
これらの図２，３は、スライドドア５が前端位置まで移動してスライドドア５が閉成したときにおける、スライドドア５および前側ガイドレール９の前端部９ａを示している。ドア本体は、車内側に配置されたインナパネル１１と、該インナパネル１１の車外側に取り付けられたアウタパネル１３とからなる。
【００１５】
インナパネル１１の上面１１ａには、車幅方向内側に延びる平坦な取付プレート２１が配設されている。該取付プレート２１の車幅方向外側の端部は、ボルト２３を介してインナパネル１１の上面１１ａに締結されており、車幅方向内側の端部には、前側回転ローラ２５（前側係合部材）２５および後側回転ローラ（後側係合部材）２７を備えた前端側支持部２９が配設されている。この前側回転ローラ２５においては、ローラ部が取付プレート２１に回転可能に軸支されており、断面略コ字状の前側ガイドレール９の内方に収納配置されている。また、後側回転ローラ２７においては、ローラ部が取付プレート２１に回転可能に軸支されており、断面略コ字状の前側ガイドレール９の車幅方向外側に配置されている。そして、図３に示すように、平面視した位置関係において、前側回転ローラ２５と後側回転ローラ２７とは前後方向に所定間隔をおいて離間して配置されており、かつ、前側回転ローラ２５は後側回転ローラ２７よりも車幅方向内側に配置されている。そして、前側ガイドレール９の前端部９ａは、車両前方に向かうにつれて車幅方向内側に緩やかに湾曲する湾曲部に形成されており、後端部９ｃは、車両前後方向に沿って略直線状に延設されている。
【００１６】
さらに、図４はスライドドアを全開した状態のスライドドアの前端部および前側ガイドレールを示す斜視図である。
【００１７】
スライドドア５に設けられた前側回転ローラ２５は、前側ガイドレール９の内方に収納配置されており、後側回転ローラ２７は、前側ガイドレール９の外側面９ｂから車幅方向外側に離れた位置に配置されている。
【００１８】
次いで、前記構成を有するスライドドアを閉める際の挙動を簡単に説明する。
【００１９】
図５に示すように、スライドドア５の前端には、前側回転ローラ２５および後側回転ローラ２７からなる前端側支持部を設けており、後端には、回転ローラからなる後端側支持部３１が設けられている。また、スライドドア５開口部の前端部には前側ガイドレール９が設けられ、後端部には後側ガイドレール３３が設けられている。前記前側ガイドレール９は、前述したように、前端部９ａに平面視略Ｊ字状に湾曲した湾曲部が設けられており、後側ガイドレール３３の前端部３３ａにも、平面視略Ｊ字状に湾曲した屈曲部が設けられている。
【００２０】
まず、図５に示すように、スライドドア５が閉まる途中段階では、前側ガイドレール９における直線状に形成された後端部９ｂに前端側支持部２９の前側回転ローラ２５が係合しており、後側ガイドレール３３の直線部３３ｂに後端側支持部３１の回転ローラが係合している。
【００２１】
さらにスライドドア５が摺動して前方移動すると、前側ガイドレール９の湾曲部の後端近傍に前端側支持部２９の前側回転ローラ２５が係合し、後側ガイドレール３３の直線部３３ｂの前端近傍に後側回転ローラ２７が係合する。
【００２２】
このとき、前端側支持部２９においては、前側回転ローラ２５が前側ガイドレール９に係合しており、後側回転ローラ２７は前側ガイドレール９の外側面９ｂよりも車幅方向外側に配置されている。しかし、図５と図６とを比較すると容易に判るように、後側回転ローラ２７は前側ガイドレール９の外側面９ｂに車幅方向外側から内側に向かって徐々に近づいている。
【００２３】
そして、図７に示すように、スライドドア５が全閉した状態では、前側ガイドレール９の湾曲部の前端に前端側支持部２９の前側回転ローラ２５が係合し、後側ガイドレール３３の屈曲部の前端近傍に後側回転ローラ２７が係合する。
【００２４】
このとき、前端側支持部２９においては、前側回転ローラ２５が前側ガイドレール９に係合しており、後側回転ローラ２７は前側ガイドレール９の外側面９ｂに車幅方向外側から当接している。ここで、図５から図７までを比較すると容易に判るように、後側回転ローラ２７は前側ガイドレール９の外側面９ｂに車幅方向外側から内側に向かって徐々に近づいていき、スライドドア５が全閉するときに、後側回転ローラ２７は前側ガイドレール９の外側面９ｂに車幅方向外側から当接する。この全閉状態では、前側回転ローラ２５と後側回転ローラ２７とによって、前側ガイドレール９の外側面９ｂを挟持している。
【００２５】
以下に、本発明の実施形態による作用効果を説明する。
【００２６】
（１）本実施形態によるスライドドアの支持構造においては、車体側面にスライドドア用開口部７を形成し、該開口部７の上縁部７ａおよび下縁部７ｂに、スライドドア５を摺動可能に支持する前側ガイドレール９を配設し、該前側ガイドレール９の前端部９ａが、車両前方に向かうにつれて車幅方向内側に緩やかに湾曲する湾曲部に形成される一方、前記スライドドア５の前端に前側ガイドレール９に係合する係合部材を設け、該係合部材は、前側ガイドレール９の内方に支持されて摺動する前側回転ローラ（前側係合部材）２５と、前側回転ローラ２５の後方側でかつ前側ガイドレール９の車幅方向外側に配置された後側回転ローラ（後側係合部材）２７と、を備えている。
【００２７】
本実施形態にかかるスライドドアの支持構造によれば、前記スライドドア５を前側に移動させて閉成する際に、前側回転ローラ２５が前側ガイドレール９に対して車幅方向外側から内側に向けて徐々に近づいて、スライドドア５を閉めたときに、前側回転ローラ２５と後側回転ローラ２７とによって前側ガイドレール９の外側面９ｂを車幅方向内側と外側とから挟み込むように保持するため、スライドドア５を閉成する際の摺動抵抗を小さくして操作力を軽減することができる。
【００２８】
また、車両製造工程においては、前記スライドドア５を車体とは別途に塗装する必要があるため、塗装工程前にスライドドア５をガイドレール９，３３から取り外す必要がある。ここで、本実施形態では、前側回転ローラ２５と後側回転ローラ２７とは前後方向に所定間隔をおいて離間して配置されているため、スライドドア５をガイドレール９，３３から容易に取り外すことができる。
【００２９】
（２）前記係合部材を、ローラ部が回転可能に軸支された前側回転ローラ（回転ローラ）２５および後側回転ローラ（回転ローラ）２７から構成したため、スライドドア５を閉成する際の摺動抵抗を小さくして操作力を軽減すると共に、耐久性を向上させることができる。
【００３０】
なお、本発明は前述した実施形態に限定されることなく、本発明の技術思想に基づいて種々の変更および変形が可能である。
【００３１】
例えば、前記実施形態では、前端側支持部２９を構成する後側係合部材として後側回転ローラ２７を設けた例を説明したが、この後側回転ローラ２７に代えて、回転不能のゴム部材を採用することも可能である。このゴム部材は、例えば、直方体状に形成されたブロック状のゴムを長いボルト等を介して取付プレートに締結することが好ましい。前述したように、スライドドア５を閉成する過程において、後側係合部材は前側ガイドレール９に対して車幅方向外側から徐々に内側に近づいて行って最終的に前側ガイドレール９の外側面９ｂに当接する。即ち、後側係合部材が前側ガイドレール９に摺動することがほとんどないため、前記実施形態で説明した回転ローラではない、回転不能のゴム部材でも良い。なお、このゴム部材の場合は、スライドドア５の閉成に伴って前側ガイドレール９の外側面９ｂに弾性的に押し付けられるため、スライドドア５を閉成するときの騒音やガタツキを抑制することができ、製造コストも低減することができる。
【符号の説明】
【００３２】
５…スライドドア
７…スライドドア用開口部
７ａ…上縁部
７ｂ…下縁部
９…前側ガイドレール（ガイドレール）
９ａ  前端部
２５…前側回転ローラ（前側係合部材）
２７…後側回転ローラ（後側係合部材）
【図１】
2010208418.tif 000003
【図２】
2010208418.tif 000004
【図３】
2010208418.tif 000005
【図４】
2010208418.tif 000006
【図５】
2010208418.tif 000007
【図６】
2010208418.tif 000008
【図７】
2010208418.tif 000009